(57)【要約】【課題】  セラミックスを収納する容器の全体もしくはセラミックスと接触する部分を合成樹脂とすることにより、酸化還元作用の発生を抑えることができ、内部が腐食することのないセラミックスを用いた水処理装置を提供する。【解決手段】  内部に塊状のセラミックス４を収納した容器５を水の経路の途中に配置し、水をセラミックス４に接触させることでマイナスイオン化して浄化するようにした水処理装置において、前記セラミックス４を収納する容器５の全体もしくはセラミックス４と接触する部分を合成樹脂で形成する。【選択図】        図１
0003109119.tif 000002
【実用新案登録請求の範囲】
【請求項１】
内部に塊状のセラミックスを収納した容器を水の経路の途中に配置し、水をセラミックスに接触させることでマイナスイオン化して浄化するようにした水処理装置において、前記セラミックスを収納する容器全体を合成樹脂で形成したことを特徴とするセラミックスを用いた水処理装置。
【請求項２】
内部に塊状のセラミックスを収納した容器を水の経路の途中に配置し、水をセラミックスに接触させることでマイナスイオン化して浄化するようにした水処理装置において、前記セラミックスを収納する容器を、金属製の外容器と、この外容器の内部に納まり、セラミックスを外容器と接触しないようにする合成樹脂の内容器で形成したことを特徴とするセラミックスを用いた水処理装置。
【請求項３】
内部に塊状のセラミックスを収納した容器を水の経路の途中に配置し、水をセラミックに接触させることでマイナスイオン化して浄化するようにした水処理装置において、前記セラミックを収納する容器のセラミックスを収納する部分を合成樹脂で形成し、残りの部分を金属製としたことを特徴とするセラミックスを用いた水処理装置。
【請求項４】
上記容器の全部もしくは一部を形成する合成樹脂に塩化ビニルを用いたことを特徴とする請求項１乃至３の何れかに記載のセラミックスを用いた水処理装置。
【考案の詳細な説明】
【技術分野】
【０００１】
この考案は、水の経路途中にセラミックスを配置し、このセラミックスに水を接触させることにより、水をマイナスイオン化して浄化する水処理装置、更に詳しくは、セラミックスを水の経路中に配置するため、このセラミックスを収納する容器の構造に関する。
【背景技術】
【０００２】
セラミックスに水を接触させることにより、水をマイナスイオン化させて水質を改善する水処理装置は既に実用に供されている。
【０００３】
このような水処理装置は、容器の内部にセラミックスを収納し、この容器を水の経路途中に配置し、流動する水をセラミックスに接触させることにより、セラミックスが有する水のイオン化作用により、水をマイナスイオン化させて浄化するものである（例えば特許文献１参照）。
【０００４】
従来、上記のような水処理装置において、セラミックスを収納する容器は、ステンレスのような金属容器が用いられていた。
【特許文献１】特開２００３−１０８４１号公報
【考案の開示】
【考案が解決しようとする課題】
【０００５】
ところで、金属容器内にセラミックスを収納すると、容器の内周面と内部に収納したセラミックスの接触部分との間で、酸化還元作用が始まり、容器の外側は変化がなく光っていても、内面が腐食して水中に金属成分が溶出するという問題がある。
【０００６】
そこで、この考案の課題は、セラミックスを収納する容器の全体もしくはセラミックスと接触する部分を合成樹脂とすることにより、酸化還元作用の発生を抑えることができ、内部が腐食することのないセラミックスを用いた水処理装置を提供することにある。
【課題を解決するための手段】
【０００７】
上記のような課題を解決するため、請求項１の考案は、内部に塊状のセラミックスを収納した容器を水の経路の途中に配置し、水をセラミックスに接触させることでマイナスイオン化して浄化するようにした水処理装置において、前記セラミックスを収納する容器全体を合成樹脂で形成した構成を採用したものである。
【０００８】
請求項２の考案は、内部に塊状のセラミックスを収納した容器を水の経路の途中に配置し、水をセラミックスに接触させることでマイナスイオン化して浄化するようにした水処理装置において、前記セラミックスを収納する容器を、金属製の外容器と、この外容器の内部に納まり、セラミックスを外容器と接触しないようにする合成樹脂の内容器で形成した構成を採用したものである。
【０００９】
請求項３の考案は、内部に塊状のセラミックスを収納した容器を水の経路の途中に配置し、水をセラミックに接触させることでマイナスイオン化して浄化するようにした水処理装置において、前記セラミックを収納する容器のセラミックスを収納する部分を合成樹脂で形成し、残りの部分を金属製とした構成を採用したものである。
【００１０】
請求項４の考案は、請求項１乃至３の考案において、上記容器の全部もしくは一部を形成する合成樹脂に塩化ビニルを用いた構成を採用したものである。
【考案の効果】
【００１１】
この考案によると、セラミックスを収納する容器の全体もしくはセラミックスと接触する部分を合成樹脂とすることにより、セラミックスと金属部分の接触の発生がなくなり、これによって、セラミックスと容器の接触部分での酸化還元作用の発生を抑えることができ、容器の内部が腐食することのないので、水に金属物質が溶出するようなことがない。
【００１２】
また、腐食した金属物質が水に溶出するようなことがなくなるので、処理水における水質の安全性向上を図ることができる。
【考案を実施するための最良の形態】
【００１３】
以下、この考案の実施の形態を添付図面に基づいて説明する。
【００１４】
図１は、セラミックスを用いた水処理装置として、ビルや工場等の大型設備用に用いる大型タンク型の一例を示し、密閉型タンク１の下部に水の流入口２と上部に流出口３を設け、このタンク１の内部に、塊状となる多数のセラミックス４を収納した容器５を、このタンク１内の水に浸漬するよう支持ステー６への取付けによって組み込み、流入口２からタンク１内に流入した水が、流出口３に流れる経路の途中でセラミックス４と接触するようになっている。
【００１５】
上記セラミックス４を収納する容器５は、全体もしくはセラミックス４と接触する部分を合成樹脂製とした構造になっている。
【００１６】
図２は、全体を合成樹脂製とした容器５の第１の実施の形態を示し、円筒状胴部７とこの円筒状胴部７の下端を閉じる底板８及び円筒状胴部７の上端を開閉可能に閉鎖する蓋板９をそれぞれ合成樹脂製とし、前記円筒状胴部７と底板８及び蓋板９は多数の通水孔１０を有する構造やメッシュ構造とし、内外に水の流通が自在となり、容器５の内部に収納したセラミックス４に水が効率よく接触するようになっている。
【００１７】
図３は、セラミックス４と接触する部分を合成樹脂製とした容器５の第２の実施の形態を示し、この容器５はステンレス等を用い、通水孔１０で内外に水の流通が自在となる金属製の外容器１１と、この外容器１１の内部に納まり、セラミックス４を外容器１１と接触しないように収納する合成樹脂製の内容器１２とからなり、この内容器も同様の通水孔１０で内外に水の流通が自在となっている。
【００１８】
上記外容器１１は、下端が底板１３で閉鎖された円筒状胴部１４の上端を蓋板１５で開閉自在とし、内容器１２も上端を蓋部材１６で閉鎖できる同様の構造を有し、この外容器１１と内容器１２は、水の流通を確保するため、多数の通水孔１０を有する構造やメッシュ構造になっている。
【００１９】
図４は、セラミックス４と接触する部分を合成樹脂製とした容器５の第３の実施の形態を示し、通水孔１０やメッシュ構造で内外に水の流通が自在となる円筒状胴部１７を合成樹脂製とし、同じく通水孔１０やメッシュ構造で内外に水の流通が自在となり、この円筒状胴部１７の下端を閉じる底板１８及び円筒状胴部１７の上端を開閉可能に閉鎖する蓋板１９をステンレス等の金属製とし、容器５の内部で下端部と上端部に、合成樹脂製のネット円盤２０を配置することにより、内部に収納したセラミックス４を金属部分と接触しないように隔離した構造になっている。
【００２０】
上記各実施の形態において、容器５の全部もしくは一部の形成に用いる合成樹脂の種類としては、塩化ビニルを用いるのが好ましく、この塩化ビニルは、セラミックスと樹脂の間で酸化還元が起こり、環境ホルモン等が溶出したり、有機物が分解して亜硝酸性窒素等がでないという利点がある。
【００２１】
また、容器５内に収納する塊状のセラミックス４は、例えば、トリリン酸カルシウム等を主成分とする、いわゆるバイオセラミックスを用い、そのセラミックスが有する水のイオン化作用により、水をマイナスイオン化させて浄化するものである。
【００２２】
この考案の容器５は、上記のような構成であり、水処理装置のタンク１の内部に、塊状となる多数のセラミックス４を収納した容器５を、このタンク１内の水に浸漬するよう組み込むことにより、流入口２からタンク１内に流入した水が、流出口３に流れる経路の途中でセラミックス４と接触するようになっているので、セラミックス４が有する水のイオン化作用により、水をマイナスイオン化させて浄化することができる。
【００２３】
上記容器５の構造を、全体もしくはセラミックスと接触する部分を合成樹脂製とすることにより、セラミックス４と金属部分の接触の発生がなくなり、これによって、セラミックス５と容器５の接触部分での酸化還元作用の発生を抑えることができ、容器５の内部が腐食することのないので、水に腐食した金属物質が溶出するようなことがなくなり、処理水における水質の安全性向上を図ることができる。
【００２４】
なお、容器５を使用する水処理装置の例として、図示の場合、大型のタンク型を示したが、容器５は従来例で示したような、家庭用浄水器等の小型の水処理装置に組み込み使用することは当然可能である。
【図面の簡単な説明】
【００２５】
【図１】水処理装置の一例を示す要部切欠正面図
【図２】水処理装置に用いるセラミックス収納容器の第１の実施形態を示す要部を切り欠いた拡大正面図
【図３】水処理装置に用いるセラミックス収納容器の第２の実施形態を示す要部を切り欠いた拡大正面図
【図４】水処理装置に用いるセラミックス収納容器の第３の実施形態を示す要部を切り欠いた拡大正面図
【符号の説明】
【００２６】
１        タンク
２        流入口
３        流出口
４        セラミックス
５        容器
６        支持ステー
７        円筒状胴部
８        底板
９        蓋板
１０      通水孔
１１      外容器
１２      内容器
１３      底板
１４      円筒状胴部
１５      蓋板
１６      蓋部材
１７      円筒状胴部
１８      底板
１９      蓋板
２０      ネット円盤
【図１】
0003109119.tif 000003
【図２】
0003109119.tif 000004
【図３】
0003109119.tif 000005
【図４】
0003109119.tif 000006